(57)【特許請求の範囲】
【請求項１】
通信端末の契約情報を格納する契約情報記憶装置に接続された認証サーバであって、
ユーザにより使用されている発信元通信端末の識別情報を取得する識別情報取得部と、
発信元通信端末又は接続先通信端末の識別情報に関して前記契約情報記憶装置に格納されている契約情報を取得し、発信元通信端末の識別情報と接続先通信端末の識別情報との間に紐付けられた契約が存在しない場合、発信元通信端末の旧識別情報を前記契約情報記憶装置から取得し、発信元通信端末の旧識別情報が接続先通信端末の電話帳に登録されている場合、当該ユーザによる発信元通信端末から接続先通信端末へのアクセスを許可する判断部と、
を有する認証サーバ。
【請求項２】
発信元通信端末の識別情報と接続先通信端末の識別情報との間に紐付けられた契約が存在しない場合、
前記判断部は、更に、発信元通信端末の識別情報が接続先通信端末の電話帳に登録されている場合、当該ユーザによる発信元通信端末から接続先通信端末へのアクセスを許可する、請求項１に記載の認証サーバ。
【請求項３】
前記判断部は、通信端末の識別情報と当該通信端末で登録された電話帳とを対応付けて格納する電話帳記憶装置から、接続先通信端末の電話帳を取得する、請求項１又は２に記載の認証サーバ。
【請求項４】
前記判断部は、更に、発信元通信端末の識別情報と接続先通信端末の識別情報との間に家族間の契約が存在する場合、接続先通信端末へのアクセスを許可する、請求項１乃至３のうちいずれか１項に記載の認証サーバ。
【請求項５】
通信端末の識別情報は、通信端末の電話番号である、請求項１乃至４のうちいずれか１項に記載の認証サーバ。
【請求項６】
通信端末の契約情報を格納する契約情報記憶装置に接続された認証サーバにおける認証方法であって、
ユーザにより使用されている発信元通信端末の識別情報を取得するステップと、
発信元通信端末又は接続先通信端末の識別情報に関して前記契約情報記憶装置に格納されている契約情報を取得し、発信元通信端末の識別情報と接続先通信端末の識別情報との間に紐付けられた契約が存在しない場合、発信元通信端末の旧識別情報を前記契約情報記憶装置から取得し、発信元通信端末の旧識別情報が接続先通信端末の電話帳に登録されている場合、当該ユーザによる発信元通信端末から接続先通信端末へのアクセスを許可するステップと、
を有する認証方法。
【発明の詳細な説明】
【技術分野】
【０００１】
本発明は、認証サーバ及び認証方法に関する。
【背景技術】
【０００２】
移動通信網では、ＩＭＳＩ（International Mobile Subscriber Identity）が携帯端末の識別子として使用される。移動通信網の呼制御は、ＩＭＳＩを用いて実施される。
【０００３】
携帯端末は、携帯端末の契約者だけでなく、誰でも使用できる。上記のように、ＩＭＳＩは、携帯端末を識別するための識別子であり、携帯端末の使用者を識別するための識別子ではない。このため、着信側では、通話前は発信元携帯端末の使用者が誰であるかを認識できない（特許文献１参照）。更に、通話中であっても、発信元携帯端末の使用者が虚偽の名前を名乗っているのか、意図した人物であるのかを認識できない。
【先行技術文献】
【特許文献】
【０００４】
【特許文献１】特開２００１−１１９０４８号公報
【非特許文献】
【０００５】
【非特許文献１】石川憲洋他，"生活ケータイの新たな利用シーンを創出する移動端末からのホームネットワーク制御技術"，NTT DoCoMoテクニカルジャーナル，Vol.16，No.1，26〜35ページ，2008年4月
【発明の概要】
【発明が解決しようとする課題】
【０００６】
一方、携帯端末の高機能化に伴い、携帯端末から様々な装置を遠隔制御することが検討されている（非特許文献１参照）。
【０００７】
携帯端末による遠隔制御の１つの応用技術として、発信元携帯端末から接続先携帯端末を遠隔制御することが考えられる。例えば、携帯端末の操作がわからないユーザ（被アシスト者）に対し、教える側のユーザ（アシスト者）が、携帯端末から相手の携帯端末に対して操作手順をガイドするというアシスト機能が考えられる。被アシスト者の携帯端末の画面をアシスト者の携帯端末に表示することで、アシスト者は、被アシスト者の画面を確認しながら、遠隔から被アシスト者による携帯端末の操作を誘導できる。被アシスト者は、アシスト者からの指示に従って、携帯端末を操作できる。
【０００８】
このような携帯端末による遠隔制御では、通信開始時にお互いの携帯端末を認証する仕組みが必要になる。
【０００９】
現在の携帯端末の認証技術として、ネットワーク暗証番号による認証方式がある。あるサービスの開始時にネットワーク暗証番号が正しいか否かを確認することにより、携帯端末が適切な使用者によって使用されているか否かが判断できる。すなわち、ネットワーク暗証番号による認証方式は、携帯端末の使用者が携帯端末の契約者であることを担保するものである。
【００１０】
しかしながら、このような認証方式をアシスト機能に適用した場合、アシスト者は、ネットワーク暗証番号の入力により、アシスト機能を利用して被アシスト者の携帯端末の操作を誘導できることになる。例えば、悪意のある第三者がアシスト機能の開始時にネットワーク暗証番号を入力してアシスト機能を利用した場合、被アシスト者は、悪意のある第三者により操作を誘導され、意図した操作を実行できなくなる。例えば、オレオレ詐欺のように、悪意のある第三者は、携帯端末を買い換えて電話番号が変わった等と言って被アシスト者をだますことが想定される。被アシスト者の携帯端末には知らない電話番号が表示されていても、被アシスト者は、発信元携帯端末の使用者が悪意のある第三者であることは認識できず、意図した人物であると認識する可能性がある。その結果、被アシスト者は、悪意のある第三者からの指示に従って、悪意のあるサイトに誘導される恐れがある。
【００１１】
上記のような課題に鑑み、本発明は、発信元携帯端末の使用者が接続先携帯端末にアクセスするのに適した人物であるか否かを認証する認証サーバ及び認証方法を提供することを目的とする。
【課題を解決するための手段】
【００１２】
本発明の認証サーバは、
通信端末の契約情報を格納する契約情報記憶装置に接続された認証サーバであって、
ユーザにより使用されている発信元通信端末の識別情報を取得する識別情報取得部と、
発信元通信端末又は接続先通信端末の識別情報に関して前記契約情報記憶装置に格納されている契約情報を取得し、発信元通信端末の識別情報と接続先通信端末の識別情報との間に紐付けられた契約が存在しない場合、発信元通信端末の旧識別情報を前記契約情報記憶装置から取得し、発信元通信端末の旧識別情報が接続先通信端末の電話帳に登録されている場合、当該ユーザによる発信元通信端末から接続先通信端末へのアクセスを許可する判断部と、
を有することを特徴とする。
【００１３】
本発明の認証方法は、
通信端末の契約情報を格納する契約情報記憶装置に接続された認証サーバにおける認証方法であって、
ユーザにより使用されている発信元通信端末の識別情報を取得するステップと、
発信元通信端末又は接続先通信端末の識別情報に関して前記契約情報記憶装置に格納されている契約情報を取得し、発信元通信端末の識別情報と接続先通信端末の識別情報との間に紐付けられた契約が存在しない場合、発信元通信端末の旧識別情報を前記契約情報記憶装置から取得し、発信元通信端末の旧識別情報が接続先通信端末の電話帳に登録されている場合、当該ユーザによる発信元通信端末から接続先通信端末へのアクセスを許可するステップと、
を有することを特徴とする。
【発明の効果】
【００１４】
本発明の実施例によれば、発信元携帯端末の使用者が接続先携帯端末にアクセスするのに適した人物であるか否かを認証する認証サーバ及び認証方法を実現できる。
【図面の簡単な説明】
【００１５】
【図１】本発明の実施例に係る認証システムの概略図
【図２】本発明の実施例に係る通信端末及び認証サーバのブロック図
【図３】契約情報データベースに格納される情報の例を示す図
【図４】電話帳データベースに格納される情報の例を示す図
【図５】本発明の実施例に係る認証サーバで実施される認証方法のフローチャート
【図６Ａ】本発明の実施例に係る認証方法のシーケンス図
【図６Ｂ】本発明の実施例に係る認証方法のシーケンス図
【発明を実施するための形態】
【００１６】
本発明の実施例では、ユーザＡの通信端末の電話番号が変わった場合に、ユーザＡの通信端末から接続先のユーザＢの通信端末へのアクセスの可否を判断する認証サーバ及び認証方法について説明する。
【００１７】
本発明の実施例では、認証サーバは、通信端末の契約情報を格納する契約情報記憶装置に接続される。例えば、契約情報記憶装置は、通信端末間の家族間契約（ファミリー契約）情報を格納する。また、認証サーバは、通信端末に登録された電話帳を認証に使用してもよい。電話帳は、通信端末の識別情報と当該通信端末で登録された電話帳とを対応付けて格納する電話帳記憶装置に格納されてもよい。なお、以下の説明では、通信端末の識別情報として、通信端末の電話番号を用いるが、通信端末の識別情報は、通信端末に固有の如何なる番号又は情報でもよい。
【００１８】
認証サーバでは、まず、ユーザＡの通信端末からのアクセス要求時に、ユーザＡの通信端末の電話番号を取得する。この場合に、ユーザＡの暗証番号により、ユーザＡの認証処理を実施してもよい。次に、ユーザＡの通信端末から、ユーザＢの電話番号が含まれる認証要求を受信してもよい。認証サーバは、ユーザＡ又はユーザＢの電話番号に関して契約情報記憶装置に格納されている契約情報を取得し、ユーザＡの電話番号とユーザＢの電話番号との間に紐付けられた契約が存在するか否かに基づいて、ユーザＡの通信端末からユーザＢの通信端末へのアクセスの可否を判断する。例えば、ユーザＡの電話番号とユーザＢの電話番号との間に紐付けられた契約が存在しない場合、認証サーバは、ユーザＢの電話番号に関して電話帳記憶装置に格納されているユーザＢの電話帳を取得する。認証サーバは、ユーザＡの電話番号又は旧電話番号がユーザＢの電話帳に登録されている場合、ユーザＡの通信端末からユーザＢの通信端末へのアクセスを許可する。
【００１９】
以下、本発明の実施例について、図面を参照して詳細に説明する。
【００２０】
＜システム構成＞
図１は、本発明の実施例に係る認証システムの概略図である。
【００２１】
認証システムは、発信元通信端末であるアシスト端末１０と、接続先通信端末である被アシスト端末１５と、認証を実施する認証サーバ２０と、契約情報を格納する契約情報サーバ３０と、電話帳を格納する電話帳預かりサーバ４０とを有する。
【００２２】
本発明の実施例では、端末の操作がわからないユーザＢ（被アシスト者）に対し、教える側のユーザＡ（アシスト者）が、相手の端末に対して操作手順をガイドするというアシスト機能において、アシスト機能の前提となる認証処理について説明する。なお、本発明の実施例では、アシスト機能に関する認証処理について説明するが、本発明は、ある端末から相手の端末にアクセスする際の認証処理に適用可能である。
【００２３】
アシスト端末１０は、相手の端末に対して操作手順をガイドするアシスト機能を有する通信端末である。アシスト端末１０では、ユーザＢの電話番号等を自端末内の電話帳に登録することができる。アシスト端末１０は、一般的には携帯電話のような移動通信端末であるが、パソコンのような固定通信端末でもよい。例えば、アシスト端末１０は、被アシスト者Ｂの端末１５の画面を表示したり、被アシスト者Ｂの端末１５に対して操作手順を指示したりすることができる。アシスト端末１０は、ユーザＡにより契約されている端末であり、電話番号はＡｍであり、また、ネットワーク暗証番号はＡｎである。また、アシスト端末の旧電話番号はＡｍ'である。電話番号は、ＭＳＩＳＤＮ（Mobile Subscriber Integrated Services Digital Network）とも呼ばれる。なお、電話番号の代わりに、通信端末に固有の如何なる番号又は情報が用いられてもよい。ネットワーク暗証番号とは、ネットワーク側で管理されている暗証番号である。例えば、ネットワーク暗証番号は、契約情報サーバ３０で管理される。ネットワーク暗証番号には、英数字、全角文字、バーコード、他の情報の如何なる組み合わせが用いられてもよい。本発明の実施例では、アシスト端末１０がユーザＡにより使用されている場合を想定する。
【００２４】
被アシスト端末１５は、相手の端末から操作手順を受け取る被アシスト機能を有する通信端末である。被アシスト端末１５では、ユーザＡの電話番号等を自端末内の電話帳に登録することができる。被アシスト端末１５は、一般的には携帯電話のような移動通信端末であるが、固定電話のような固定通信端末でもよい。例えば、被アシスト端末１５は、アシスト端末１０から指示された操作手順を表示できる。被アシスト端末１５は、ユーザＢにより契約されている端末であり、電話番号はＢｍである。
【００２５】
契約情報サーバ３０は、端末の契約情報を格納しており、例えば、電話番号と旧電話番号とネットワーク暗証番号とを対応付けて管理している。また、ある電話番号と契約上で紐付けられている電話番号を管理している。例えば、契約情報サーバ３０は、ファミリー契約に含まれる電話番号を管理している。ファミリー契約とは、家族間契約とも呼ばれ、契約上で紐付けられている電話番号の端末が、一定範囲内の親族のものであることを示す。なお、本発明の実施例では、ファミリー契約について説明するが、本発明は、複数の電話番号が契約時等に予め紐付けられている場合に適用可能である。
【００２６】
電話帳預かりサーバ４０は、端末の電話帳を管理している。例えば、電話番号とその電話番号の端末で登録された電話帳とを対応付けて管理している。ここでは、ユーザＢの電話帳の情報が電話帳預かりサーバ４０に格納されている。ユーザＢの被アシスト端末１５で入力された電話帳の情報は、電話帳預かりサーバ４０に送信され、電話帳預かりサーバ４０で管理される。
【００２７】
認証サーバ２０は、アシスト端末１０から被アシスト端末１５へのアクセスの可否を判断するサーバである。認証サーバ２０は、契約情報サーバ３０に接続されており、アシスト端末１０に入力されたユーザＡのネットワーク暗証番号Ａｎにより、ユーザＡがアシスト端末１０を使用していることを認証する。また、認証サーバ２０は、契約情報サーバ３０に格納されている契約情報を参照し、アシスト端末１０の電話番号と被アシスト端末１５の電話番号との間に紐付けられた契約が存在するか否かを判断する。例えば、ユーザＡの電話番号ＡｍとユーザＢの電話番号Ｂｍとの間にファミリー契約のような契約が存在する場合、アシスト端末１０から被アシスト端末１５へのアクセスを許可する。また、認証サーバ２０は、電話帳預かりサーバ４０に接続されており、電話帳預かりサーバ４０に格納されているユーザＢの電話帳を参照する。ユーザＡの電話番号Ａｍ又は旧電話番号Ａｍ'がユーザＢの電話帳に登録されている場合、アシスト端末１０から被アシスト端末１５へのアクセスを許可する。
【００２８】
図２は、本発明の実施例に係る通信端末（アシスト端末）１０及び認証サーバ２０のブロック図である。
【００２９】
アシスト端末１０は、契約者暗証番号入力部１０１と、認証要求入力部１０３と、認証結果受信部１０５と、アプリケーション１０７とを有する。認証サーバ２０は、発信元電話番号取得部２０１と、契約者暗証番号取得部２０３と、契約者認証判断部２０５と、認証要求受信部２０７と、端末間認証判断部２０９と、認証結果送信部２１１とを有する。認証サーバ２０は、契約情報サーバ３０の契約情報データベース３０１と、電話帳預かりサーバ４０の電話帳データベース４０１とに接続されている。なお、これらの契約情報データベース３０１及び電話帳データベース４０１は、認証サーバ２０内に含まれてもよい。
【００３０】
契約者暗証番号入力部１０１は、アシスト機能を有するアプリケーションの選択時のようなアシスト端末１０から被アシスト端末１５へのアクセス要求時に、ユーザＡのネットワーク暗証番号の入力を受け付け、ユーザＡのネットワーク暗証番号を取得する。ユーザＡのネットワーク暗証番号は、認証サーバ２０に送信される。
【００３１】
認証要求入力部１０３は、ユーザＡによるアシスト端末１０から被アシスト端末１５へのアクセスのため、ユーザＡの認証要求の入力を受け付け、認証要求を取得する。認証要求は、ユーザＡによる被アシスト端末１５へのアクセス要求であり、認証要求には、ユーザＢの電話番号が含まれる。また、認証要求には、ユーザＡの電話番号が更に含まれてもよい。認証要求は、認証サーバ２０に送信される。
【００３２】
認証結果受信部１０５は、認証サーバ２０から認証結果を受信する。
【００３３】
アプリケーション１０７は、アシスト端末１０から被アシスト端末１５へのアシスト機能を実現するアプリケーションである。認証結果受信部１０５で受信した認証結果がＯＫである場合、アプリケーション１０７は、アシスト機能を有効にし、被アシスト端末１５への接続を可能にする。認証結果がＮＧである場合、アプリケーション１０７は、アシスト機能を無効にし、被アシスト端末１５への接続を拒否する。なお、認証結果は、アシスト端末１０の画面に表示されてもよい。
【００３４】
発信元電話番号取得部２０１は、ユーザＡの電話番号であるアシスト端末１０の電話番号を取得する。アシスト端末１０の電話番号は、アシスト端末１０からのアクセス要求時に取得される。例えば、アシスト端末１０の電話番号は、アシスト端末１０に入力されたユーザＡのネットワーク暗証番号の取得時に取得されてもよい。
【００３５】
契約者暗証番号取得部２０３は、アシスト端末１０に入力されたユーザＡのネットワーク暗証番号を取得する。
【００３６】
契約者認証判断部２０５は、ユーザＡの電話番号であるアシスト端末１０の電話番号から、契約情報データベース３０１に格納されているユーザＡのネットワーク暗証番号を取得する。そして、契約者暗証番号取得部２０３により取得されたユーザＡのネットワーク暗証番号が正しいか否かを判断する。契約者認証判断部２０５は、双方のネットワーク暗証番号が一致する場合、ネットワーク暗証番号が正しいと判断する。ネットワーク暗証番号が正しい場合、ネットワーク暗証番号による認証結果をＯＫとし、ネットワーク暗証番号が正しくない場合、ネットワーク暗証番号による認証結果をＮＧとする。なお、契約者認証判断部２０５は、ネットワーク暗証番号の判断において、所定数以上の誤った入力を不正なアクセスと判断してもよい。具体的には、ユーザＡのネットワーク暗証番号を連続して入力した回数が閾値以下であるか否かを判断し、閾値より大きい場合、認証結果をＮＧとしてもよい。
【００３７】
認証要求受信部２０７は、アシスト端末１０に入力された認証要求を取得する。具体的には、認証要求受信部２０７は、ユーザＢの電話番号を取得する。
【００３８】
端末間認証判断部２０９は、ユーザＡ又はユーザＢの電話番号から、契約情報データベース３０１に格納されている契約情報を取得する。そして、ユーザＡの電話番号とユーザＢの電話番号との間に紐付けられた契約が存在する場合、認証結果をＯＫとする。例えば、端末間認証判断部２０９は、契約情報データベース３０１に格納されているユーザＡのファミリー契約の電話番号にユーザＢの電話番号が含まれる場合、又は契約情報データベース３０１に格納されているユーザＢのファミリー契約の電話番号にユーザＡの電話番号が含まれる場合、認証結果をＯＫとする。ユーザＡの電話番号とユーザＢの電話番号との間に紐付けられた契約が存在しない場合、端末間認証判断部２０９は、認証要求に含まれるユーザＢの電話番号から、電話帳データベース４０１に格納されているユーザＢの電話帳を取得する。また、端末間認証判断部２０９は、認証要求に含まれるユーザＢの電話番号から、被アシスト端末１５にアクセスし、ユーザＢの電話帳を取得してもよい。そして、ユーザＡの電話番号又は旧電話番号がユーザＢの電話帳に登録されている場合、認証結果をＯＫとする。なお、ユーザＡの電話番号は、発信元電話番号取得部２０１により取得され、また、ユーザＡの旧電話番号は、ユーザＡの電話番号から、契約情報データベース３０１に格納されている旧電話番号を参照することにより取得される。
【００３９】
認証結果送信部２１１は、契約者認証判断部２０５及び端末間認証判断部２０９により判断された認証結果をアシスト端末１０に送信する。
【００４０】
図３は、契約情報データベース３０１に格納される情報の例を示す図である。
【００４１】
契約情報データベース３０１は、電話番号（ＭＳＩＳＤＮ）毎に旧電話番号及びネットワーク暗証番号を格納する。また、契約情報データベース３０１は、ファミリー契約で紐付けられている電話番号を格納する。なお、契約情報データベース３０１には、複数の旧電話番号が格納されてもよく、また、旧電話番号は、電話番号が変更されて所定の期間が経過した後に削除されてもよい。
【００４２】
例えば、契約情報データベース３０１には、ユーザＡの電話番号111-1111-1111の旧電話番号が111-1111-2222であり、ネットワーク暗証番号が1111であり、ユーザＡの電話番号111-1111-1111とファミリー契約で紐付けられている電話番号がユーザＢの電話番号1111-2222-2222及びその他のユーザの電話番号1111-2222-4444であるという情報を格納する。
【００４３】
図４は、電話帳データベース４０１に格納される情報の例を示す図である。
【００４４】
電話帳データベース４０１は、電話番号（ＭＳＩＳＤＮ）毎に、その電話番号に対応する端末で登録された電話帳（氏名、電話番号、その他の情報）を格納する。本発明の実施例では、電話帳に登録された情報のうち特に電話番号を使用するため、その他の情報は詳細に記載されていないが、電話帳データベース４０１には電子メールアドレス、住所等が格納されてもよい。
【００４５】
例えば、電話帳データベース４０１には、ユーザＡの電話番号111-1111-1111の電話帳に登録されている情報として、氏名（Ｂ、Ｃ、Ｄ）、電話番号（111-2222-2222、111-3333-3333、111-4444-4444）、その他の情報が格納されている。
【００４６】
＜認証方法の手順＞
図５は、本発明の実施例に係る認証サーバ２０で実施される認証方法のフローチャートである。
【００４７】
アシスト端末１０から被アシスト端末１５へのアクセス要求時に、認証サーバ２０の発信元電話番号取得部２０１は、ユーザＡの電話番号であるアシスト端末１０の電話番号を取得する（Ｓ１０１）。また、契約者暗証番号取得部２０３は、アシスト端末１０に入力されたユーザＡのネットワーク暗証番号を取得する（Ｓ１０３）。
【００４８】
契約者認証判断部２０５は、ユーザＡの電話番号から、契約情報データベース３０１に格納されているユーザＡのネットワーク暗証番号を取得する。そして、契約者暗証番号取得部２０３により取得されたユーザＡのネットワーク暗証番号が正しいか否かを判断する（Ｓ１０５）。ユーザＡのネットワーク暗証番号が正しくない場合（Ｓ１０５：Ｎ）、契約者認証判断部２０５は、認証結果をＮＧとする（Ｓ１１７）。
【００４９】
ユーザＡのネットワーク暗証番号が正しい場合（Ｓ１０５：Ｙ）、認証要求受信部２０７は、アシスト端末１０に入力されたユーザＢの電話番号を取得する（Ｓ１０７）。
【００５０】
端末間認証判断部２０９は、ユーザＡ又はユーザＢの電話番号から、契約情報データベース３０１に格納されているユーザＡ又はユーザＢのファミリー契約の電話番号を取得する（Ｓ１０９）。同時に、端末間認証判断部２０９は、契約情報サーバ３０に格納されているユーザＡの旧電話番号を取得してもよい。そして、ユーザＡの電話番号とユーザＢの電話番号との間にファミリー契約が存在するか否かを判断する（Ｓ１１１）。ユーザＡの電話番号とユーザＢの電話番号との間にファミリー契約が存在する場合（Ｓ１１１：Ｙ）、認証結果をＯＫとする（Ｓ１１７）。
【００５１】
ユーザＡの電話番号とユーザＢの電話番号との間にファミリー契約が存在しない場合（Ｓ１１１：Ｎ）、端末間認証判断部２０９は、ユーザＢの電話番号から、電話帳データベース４０１又は被アシスト端末１５に格納されているユーザＢの電話帳を取得する。そして、端末間認証判断部２０９は、ユーザＡの電話番号がユーザＢの電話帳に登録されているか否かを判断する（Ｓ１１３）。ユーザＡの電話番号がユーザＢの電話帳に登録されている場合（Ｓ１１３：Ｙ）、認証結果をＯＫとする（Ｓ１１７）。
【００５２】
ユーザＡの電話番号がユーザＢの電話帳に登録されていない場合（Ｓ１１３：Ｎ）、端末間認証判断部２０９は、ユーザＡの旧電話番号がユーザＢの電話帳に登録されているか否かを判断する（Ｓ１１５）。ユーザＡの旧電話番号がユーザＢの電話帳に登録されている場合（Ｓ１１５：Ｙ）、認証結果をＯＫとする（Ｓ１１７）。ユーザＡの旧電話番号がユーザＢの電話帳に登録されていない場合（Ｓ１１５：Ｎ）、認証結果をＮＧとする（Ｓ１１７）。
【００５３】
図６Ａは、本発明の実施例に係る認証方法のシーケンス図である。図６Ａは、図５のフローチャートをシステム全体で実現する際の情報の流れを示しており、認証サーバでの認証方法は、図５のフローチャートと同じである。
【００５４】
アシスト機能を有するアプリケーションの選択時のようなアシスト端末１０から被アシスト端末１５へのアクセス要求時に、アシスト端末１０の契約者暗証番号入力部１０１において、ユーザＡのネットワーク暗証番号が入力される（Ｓ２０１）。入力されたユーザＡのネットワーク暗証番号は、認証サーバ２０に送信される（Ｓ２０３）。
【００５５】
認証サーバ２０の発信元電話番号取得部２０１は、ユーザＡのネットワーク暗証番号とともに、ユーザＡの電話番号を取得する。契約者認証判断部２０５は、ユーザＡの電話番号を契約情報サーバ３０に送信し（Ｓ２０５）、契約情報サーバ３０に格納されているユーザＡのネットワーク暗証番号を取得する（Ｓ２０７）。そして、契約者暗証番号取得部２０３により取得されたユーザＡのネットワーク暗証番号が正しいか否かを判断する（Ｓ２０９）。ユーザＡのネットワーク暗証番号が正しくない場合（Ｓ２０９：Ｎ）、契約者認証判断部２０５は、認証結果をＮＧとする（Ｓ２１１）。
【００５６】
ユーザＡのネットワーク暗証番号が正しい場合（Ｓ２０９：Ｙ）、ユーザＡの認証結果をＯＫとする（Ｓ２１３）。
【００５７】
ユーザＡの認証結果がＯＫである場合、アシスト機能を有するアプリケーションの起動が許可され、アプリケーションが起動する（Ｓ２１５）。なお、この時点では、ユーザＢの端末へのアクセスは許可されていない。次に、ユーザＡが本人の端末を利用してユーザＢの端末にアクセスする場合に相当する本人端末利用モードの選択肢が画面上に表示され、ユーザＡにより選択されてもよい（Ｓ２１７）。次に、認証要求入力部１０３において、接続先であるユーザＢの電話番号が入力される（Ｓ２１９）。入力されたユーザＢの電話番号は、認証サーバ２０に送信される（Ｓ２２１）。同時に、本人端末利用モードである旨及びユーザＡの電話番号が認証サーバ２０に送信されてもよい。
【００５８】
認証サーバ２０の認証要求受信部２０７は、認証要求を受信し、端末間認証判断部２０９は、ユーザＡの電話番号又はユーザＢの電話番号を契約情報サーバ３０に送信し（Ｓ２２３）、契約情報サーバ３０に格納されているユーザＡ又はユーザＢのファミリー契約の電話番号を取得する（Ｓ２２５）。同時に、端末間認証判断部２０９は、契約情報サーバ３０に格納されているユーザＡの旧電話番号を取得してもよい。そして、端末間認証判断部２０９は、ユーザＡの電話番号とユーザＢの電話番号との間にファミリー契約が存在するか否かを判断する（Ｓ２２７）。ユーザＡの電話番号とユーザＢの電話番号との間にファミリー契約が存在する場合（Ｓ２２７：Ｙ）、認証結果をＯＫとする（Ｓ２２９）。
【００５９】
ユーザＡの電話番号とユーザＢの電話番号との間にファミリー契約が存在しない場合（Ｓ２２７：Ｎ）、端末間認証判断部２０９は、ユーザＢの電話番号を電話帳預かりサーバ４０に送信し（Ｓ２３１）、電話帳サーバ４０に格納されているユーザＢの電話帳を取得する（Ｓ２３３）。そして、端末間認証判断部２０９は、ユーザＡの電話番号がユーザＢの電話帳に登録されているか否かを判断する（Ｓ２３５）。ユーザＡの電話番号がユーザＢの電話帳に登録されている場合（Ｓ２３５：Ｙ）、認証結果をＯＫとする（Ｓ２３７）。
【００６０】
ユーザＡの電話番号がユーザＢの電話帳に登録されていない場合（Ｓ２３５：Ｎ）、端末間認証判断部２０９は、ユーザＡの旧電話番号がユーザＢの電話帳に登録されているか否かを判断する（Ｓ２３９）。ユーザＡの旧電話番号がユーザＢの電話帳に登録されている場合（Ｓ２３９：Ｙ）、認証結果をＯＫとする（Ｓ２４１）。ユーザＡの旧電話番号がユーザＢの電話帳に登録されていない場合（Ｓ２３９：Ｎ）、認証結果をＮＧとする（Ｓ２４３）。
【００６１】
認証結果がＯＫである場合、ユーザＡの端末からユーザＢの端末へのアクセスが許可され、アシスト端末１０から被アシスト端末１５へのアクセスが可能になる（Ｓ２４５）。
【００６２】
なお、ステップＳ２０５〜Ｓ２０９において、認証サーバ２０が契約情報サーバ３０からユーザＡのネットワーク暗証番号を受信し、認証サーバ２０が認証結果を判断しているが、契約情報サーバ３０が認証サーバ２０からユーザＡの電話番号及びネットワーク暗証番号を受信し、契約情報サーバ３０が認証結果を判断してもよい。同様に、ステップＳ２２３〜Ｓ２２７において、認証サーバ２０が契約情報サーバ３０からユーザＡ又はユーザＢのファミリー契約の電話番号を受信し、認証サーバ２０がファミリー契約の有無を判断しているが、契約情報サーバ３０が認証サーバ２０からユーザＡ及びユーザＢの電話番号を受信し、契約情報サーバ３０がファミリー契約の有無を判断してもよい。同様に、ステップＳ２３１〜Ｓ２３９において、認証サーバ２０が電話帳預かりサーバ４０からユーザＢの電話帳を受信し、認証サーバ２０が登録の有無を判断しているが、電話帳預かりサーバ４０が認証サーバからユーザＡの電話番号及び旧電話番号とユーザＢの電話番号とを受信し、電話帳預かりサーバ４０が登録の有無を判断してもよい。このような場合、認証サーバ２０は、認証結果を契約情報サーバ３０又は電話帳預かりサーバ４０から受信し、アシスト端末１０に転送する。
【００６３】
上記の認証方法において、図５のステップＳ１０５及び図６ＡのステップＳ２０９は、ユーザＡがアシスト端末１０を使用しているという認証処理に対応する。図５のステップＳ１１１、Ｓ１１３、Ｓ１１５及び図６ＡのステップＳ２２７、Ｓ２３５、Ｓ２３９は、ユーザＡがユーザＢの知人（電話帳に登録されている人物）であるという認証処理に対応する。これらの２段階の認証処理により、適切なアシスト者であるか否かを判断できる。なお、ユーザＡがアシスト端末１０を使用しているという認証処理は、異なる方法で実施されてもよく、異なるタイミングで実施されてもよい。
【００６４】
図６Ｂは、本発明の実施例に係る認証方法のシーケンス図である。図６Ｂは、端末間認証判断部２０９が、ユーザＢの電話番号に基づいて被アシスト端末１５にアクセスし（Ｓ２３１'）、被アシスト端末１５に格納されているユーザＢの電話帳を取得する点（Ｓ２３３'）を除き、図６Ａと同じである。
【００６５】
ステップＳ２３１'〜Ｓ２３９において、認証サーバ２０が被アシスト端末１５からユーザＢの電話帳を受信し、認証サーバ２０が登録の有無を判断しているが、被アシスト端末１５が認証サーバからユーザＡの電話番号及び旧電話番号を受信し、被アシスト端末１５が登録の有無を判断してもよい。
【００６６】
更に、図６Ａ及び図６Ｂを組み合わせることにより、ユーザＡの電話番号又は旧電話番号がユーザＢの電話帳に登録されているか否かを、電話帳預かりサーバ４０に格納されているユーザＢの電話帳と、被アシスト端末１５に格納されている電話帳との双方を用いて判断してもよい。
【００６７】
＜実施例の効果＞
本発明の実施例によれば、発信元携帯端末の使用者が接続先携帯端末にアクセスするのに適した人物であるか否かを認証できる。
【００６８】
上記のように、契約情報データベースを参照することにより、ユーザＡとユーザＢとの関係が担保された場合にアクセスが許可される。契約情報データベースには、ファミリー契約等の契約情報が格納されているため、ユーザＡの電話番号が変わった場合においても、ユーザＢは、適切なアシスト者がアクセスしていることを認識できる。その結果、アシスト機能を有するアプリケーションの使用時に、オレオレ詐欺のような詐欺を防止できる。
【００６９】
また、電話帳データベースを参照することにより、ファミリー契約のような契約が存在しない場合であっても、ユーザＡとユーザＢとの関係を確認できる。そして、電話帳データベースを参照することにより、ユーザＡとユーザＢとの関係が担保された場合にアクセスが許可される。
【００７０】
また、電話帳の参照時に、電話帳が電話帳預かりサーバに格納されていない場合又は電話帳預かりサーバの情報が更新されていない場合であっても、端末内の電話帳を参照することで、認証が可能となる。
【００７１】
本発明の実施例では、ネットワーク内で管理されている契約情報及び電話帳情報を活用することにより、生体認証のような高度な認証技術を端末内に実装しなくても、認証を提供できる。
【００７２】
説明の便宜上、本発明の実施例に係る装置は機能的なブロック図を用いて説明しているが、本発明の装置は、ハードウェア、ソフトウェア又はそれらの組み合わせで実現されてもよい。また、各機能部が必要に応じて組み合わせて使用されてもよい。
【００７３】
説明の便宜上、本発明の実施例に係る方法は処理の流れを示すフローチャート及びシーケンス図を用いて説明しているが、本発明の方法は、実施例に示す順序と異なる順序で実施されてもよい。
【００７４】
以上、本発明の実施例について説明したが、本発明は、上記の実施例に限定されることなく、特許請求の範囲内において、種々の変更・応用が可能である。
【符号の説明】
【００７５】
１０    発信元通信端末（アシスト端末）
１５    接続先通信端末（被アシスト端末）
２０    認証サーバ
３０    契約情報サーバ
４０    電話帳預かりサーバ
１０１  契約者暗証番号入力部
１０３  認証要求入力部
１０５  認証結果受信部
１０７  アプリケーション
２０１  発信元電話番号取得部
２０３  契約者暗証番号取得部
２０５  契約者認証判断部
２０７  認証要求受信部
２０９  端末間認証判断部
２１１  認証結果送信部
３０１  契約情報データベース
４０１  電話帳データベース
【図１】
0005649406.tif 000002
【図２】
0005649406.tif 000003
【図３】
0005649406.tif 000004
【図４】
0005649406.tif 000005
【図５】
0005649406.tif 000006
【図６Ａ】
0005649406.tif 000007
【図６Ｂ】
0005649406.tif 000008